(57)【要約】【課題】  フェイスを正確に位置決めし、レーザ溶接又はプラズマ溶接等によりヘッド本体と接合することができるゴルフクラブヘッドを提供する。【解決手段】  ヘッド本体１０とフェイス３０からなるゴルフクラブヘッドにおいて、前記ヘッド本体１０のフェイス周縁に密接部１２１が設けられると共に、該密接部１２１の外側に充填凸部２０及び位置決めブロック２１が設けられ、前記フェイス３０の周縁が位置決めブロック２１の下縁と密接する。【選択図】  図１
0003106080.tif 000002
【実用新案登録請求の範囲】
【請求項１】
ヘッド本体とフェイスからなるゴルフクラブヘッドにおいて、
前記ヘッド本体のフェイス周縁に密接部が設けられると共に、該密接部の外側に充填凸部及び位置決めブロックが設けられ、
前記フェイスの周縁が位置決めブロックと密接することを特徴とする、
ゴルフクラブヘッド。
【請求項２】
前記ヘッド本体にフェイスを収容するための凹部が形成され、該凹部に背部が設けられ、該背部の一側に側板が設けられると共に、下方に底部が設けられ、凹部の一側における該側板と対向する位置に突出ブロックが設けられ、
前記背部の上側、側板の縁部、底部の縁部及び突出ブロックの縁部に夫々密接部が形成され、突出ブロックの密接部に垂直の基準部が形成されることを特徴とする、請求項１に記載のゴルフクラブヘッド。
【請求項３】
前記側板の密接部に側凸部が設けられ、前記フェイスの上、下側に夫々頂部プレート及び底部プレートが設けられると共に、両側に夫々外側縁と内側縁が設けられることを特徴とする、請求項２に記載のゴルフクラブヘッド。
【考案の詳細な説明】
【技術分野】
【０００１】
本考案は、特にヘッド本体における凹部の両側に充填凸部が設けられると共に、凹部の充填凸部における密接部側に位置決めブロックが設けられることにより、フェイスを正確に位置決めし、レーザ溶接又はプラズマ溶接等によりヘッド本体と接合することができるゴルフクラブヘッドに関するものである。
【背景技術】
【０００２】
図７に示すように、従来のゴルフクラブヘッドは複数の部材を組み合せ、ヘッド本体（４０）とフェイス（４１）との密接箇所で溶接して固定するものである。
【考案の開示】
【考案が解決しようとする課題】
【０００３】
しかし、前記の溶接手段は溶接箇所に溶接材料を用いることから、溶接後に、溶接箇所において突出状の溶接部（４２）が形成され、該溶接部（４２）を除去する作業を必要とするので、作業工程が複雑化してしまう。又、ヘッド本体（４０）とフェイス（４１）を接合する際には、互いに位置決め構造を有しないので、ヘッド本体（４０）とフェイス（４１）がずれる恐れがある。
【０００４】
そこで、考案されたのが本考案であって、フェイスを正確に位置決めし、レーザ溶接又はプラズマ溶接等によりヘッド本体と接合することができるゴルフクラブヘッドを提供することを目的としている。
【課題を解決するための手段】
【０００５】
本考案は、ヘッド本体とフェイスからなるゴルフクラブヘッドにおいて、前記ヘッド本体のフェイス周縁に密接部が設けられると共に、該密接部の外側に充填凸部及び位置決めブロックが設けられ、前記フェイスの周縁が位置決めブロックと密接することを特徴とするゴルフクラブヘッド及び、
第２の考案は、前記ヘッド本体にフェイスを収容するための凹部が形成され、該凹部に背部が設けられ、該背部の一側に側板が設けられると共に、下方に底部が設けられ、凹部の一側における該側板と対向する位置に突出ブロックが設けられ、前記背部の上側、側板の縁部、底部の縁部及び突出ブロックの縁部に夫々密接部が形成され、突出ブロックの密接部に垂直の基準部が形成されることを特徴とする請求項１に記載のゴルフクラブヘッド及び、
第３の考案は、前記側板の密接部に側凸部が設けられ、前記フェイスの上、下側に夫々頂部プレート及び底部プレートが設けられると共に、両側に夫々外側縁と内側縁が設けられることを特徴とする請求項２に記載のゴルフクラブヘッド、を提供するものである。
【考案の効果】
【０００６】
本考案は上記の課題を解決するものであり、ヘッド本体の凹部に密接部及び位置決めブロックが設けられると共に、該凹部の周縁に充填凸部が設けられることにより、充填凸部を溶接材として使用すると共に、フェイスとヘッド本体とのずれを防止できるので、製造上、非常に便利である。更に本体とフェイスの接合位置が安定することで反発性能に関する品質が向上する。
【考案を実施するための最良の形態】
【０００７】
以下、添付図面を参照して本考案の好適な実施の形態を詳細に説明する。尚、下記の実施例は、本考案の好適な実施の形態を示したものにすぎず、本考案の技術的範囲は、以降に説明する実施例そのものに何ら限定されるものではない。
【０００８】
図１は本考案に係るゴルフクラブヘッドの分解斜視図であり、図２は本考案に係るゴルフクラブヘッドの斜視図であり、図３は本考案に係るゴルフクラブヘッドの一部断面図であり、図４は本考案に係るゴルフクラブヘッドの正面図であり、図５は本考案に係るゴルフクラブヘッドをレーザ溶接した状態を示す一部断面図であり、図６は本考案に係るゴルフクラブヘッドを研磨した状態を示す一部断面図である。
【０００９】
図１及び図２に示すように、本考案に係るゴルフクラブヘッドは、ヘッド本体（１０）とフェイス（３０）を有し、ヘッド本体（１０）の一端にシャフトを設置するためネック（１６）が設けられ、中央にフェイス（３０）を収容するための凹部（１１）が形成され、該凹部（１１）に背部（１２）が設けられ、該背部（１２）の一側に側板（１３）が設けられると共に、下方に底部（１５）が設けられ、凹部（１１）の一側における該側板（１３）と対向する位置に突出ブロック（１４）が設けられる。
【００１０】
前記背部（１２）の上側、側板（１３）の縁部、底部（１５）の縁部及び突出ブロック（１４）の縁部に夫々密接部（１２１）（１３１）（１５１）（１４１）が形成され、突出ブロック（１４）の密接部（１４１）に垂直の基準部（１４２）が形成される。
【００１１】
前記凹部（１１）の周縁に充填凸部（２０）が設けられると共に、密接部（１２１）に位置決めブロック（２１）が設けられ、又、側板（１３）の密接部（１３１）に側凸部（２２）が設けられる。
【００１２】
前記フェイス（３０）の上、下側に夫々頂部プレート（３１）及び底部プレート（３２）が設けられると共に、両側に夫々外側縁（３３）と内側縁（３４）が設けられる。
【００１３】
フェイス（３０）をヘッド本体（１０）の凹部（１１）に設置する場合、頂部プレート（３１）が密接部（１２１）と密接し、底部プレート（３２）が密接部（１５１）と密接し、外側縁（３３）が密接部（１３１）と密接し、内側縁（３４）が密接部（１４１）と密接することにより、フェイス（３０）とヘッド本体（１０）を接合する。
【００１４】
又、図３及び図４に示すように、前記フェイス（３０）をヘッド本体（１０）の凹部（１１）に設置する際、フェイス（３０）の上縁を位置決めブロック（２１）の下縁と密接することにより、フェイス（３０）の周縁をヘッド本体（１０）の周縁に合わせる。即ち、頂部プレート（３１）の上縁を位置決めブロック（２１）の下縁と密接すると共に、内側縁（３４）を凹部（１１）の基準部（１４２）と密接することにより、フェイス（３０）とヘッド本体（１０）とのずれることを防止する。
【００１５】
又、図５及び図６に示すように、本考案に係るゴルフクラブヘッドにおける充填凸部（２０）は溶接材として使用することができ、溶接作業する場合、レーザによって該充填凸部（２０）とフェイス周縁を同時に溶解することにより、フェイス（３０）とヘッド本体（１０）を溶接する。又、充填凸部（２０）からなる溶接部（３５）は研磨作業の行いしやすいので、非常に便利である。
【００１６】
又、前記側板（１３）の側凸部（２２）は溶接材として使用することができるので、非常に便利である。
【００１７】
本考案は上記の構成をし、ヘッド本体の凹部に密接部及び位置決めブロックが設けられると共に、該凹部の周縁に充填凸部が設けられることにより、充填凸部を溶接材として使用すると共に、フェイスとヘッド本体とのずれを防止できるので、製造上、非常に便利である。
【図面の簡単な説明】
【００１８】
【図１】本考案に係るゴルフクラブヘッドの分解斜視図である。
【図２】本考案に係るゴルフクラブヘッドの斜視図である。
【図３】本考案に係るゴルフクラブヘッドの一部断面図である。
【図４】本考案に係るゴルフクラブヘッドの正面図である。
【図５】本考案に係るゴルフクラブヘッドをレーザ溶接した状態を示す一部断面図である。
【図６】本考案に係るゴルフクラブヘッドを研磨した状態を示す一部断面図である。
【図７】従来のゴルフクラブヘッドを示す断面図である。
【符号の説明】
【００１９】
１０        ヘッド本体
１１        凹部
１２        背部
１２１      密接部
１３        側板
１３１      密接部
１４        突出ブロック
１４１      密接部
１４２      基準部
１５        底部
１５１      密接部
１６        ネック
２０        充填凸部
２１        位置決めブロック
２２        側凸部
３０        フェイス
３１        頂部プレート
３２        底部プレート
３３        外側縁
３４        内側縁
３５        溶接部
４０        ヘッド本体
４１        フェイス
４２        溶接部
【図１】
0003106080.tif 000003
【図２】
0003106080.tif 000004
【図３】
0003106080.tif 000005
【図４】
0003106080.tif 000006
【図５】
0003106080.tif 000007
【図６】
0003106080.tif 000008
【図７】
0003106080.tif 000009